(57)【要約】【課題】  高輝度となり且つ薄型化が可能な車両用照明プレートを提供する。【解決手段】  中空箱形状のハウジング１内に導光体５を配し、導光体５の裏面５ａには、カバーレンズ４の発光する意匠と同形状の光拡散反射部２２を形成してなる。【選択図】        図２
2005258077.tif 000002
【特許請求の範囲】
【請求項１】
四辺に側壁を有するベース及び該ベースの側壁の先端に取付けられてなるカバーレンズより構成されてなるハウジングと、該ハウジングの側壁に配置されてなる光源と、該光源に対向し且つハウジングの内部に収納されてなると共に光源からの光をハウジングの内部に拡散させてカバーレンズを光らせる導光体とよりなる車両用照明プレートであって、
前記導光体の裏面には、前記カバーレンズの発光する意匠と同形状の光拡散反射部を形成してなることを特徴とする車両用照明プレート。
【請求項２】
四辺に側壁を有するベース及び該ベースの側壁の先端に取付けられてなるカバーレンズより構成されてなるハウジングと、該ハウジングの側壁に配置されてなる光源と、該光源に対向し且つハウジングの内部に収納されてなると共に光源からの光をハウジングの内部に拡散させてカバーレンズを光らせる導光体とよりなる車両用照明プレートであって、
前記導光体の表面には、前記カバーレンズの発光する意匠と同形状の光拡散透過部を形成してなることを特徴とする車両用照明プレート。
【請求項３】
請求項１又は請求項２に記載の車両用照明プレートであって、
前記カバーレンズは、マスク塗装、シルク印刷、フィルム等により、特定の表示（文字・マーク等）部以外を遮光したイルミネーションとしたことを特徴とする車両用照明プレート。
【請求項４】
請求項１又は請求項２に記載の車両用照明プレートであって、
前記カバーレンズは、マスク塗装、シルク印刷、フィルム等により、特定の表示（文字・マーク等）部を遮光したイルミネーションとしたことを特徴とする車両用照明プレート。
【発明の詳細な説明】
【技術分野】
【０００１】
この発明は、車体の一部に取付けられる車両用照明プレートに関するものである。
【背景技術】
【０００２】
自動車の車体（その装備品も含む）には、例えば、サイドステップ部に取付けられるスカッフプレートのように、車体表面に照明プレートが組み込まれる場合がある。この種の照明プレートは、全体が発光することによりインテリアになると共に、特定の表示（文字・マーク等）が施されている場合は、その表示を光らせて目立たせる働きをする。
【０００３】
この照明プレートは、表面を均一に発光させるために、透明ガラス又は透明樹脂製の導光体を用いている。導光体の一側面には、光源が設けられている。光源は、回路部品を含む基板上に発光部を設け、基板の下部から一対の配線を取り出した一般的構造をしている。この光源からの光を、導光体の一側面から導光体内に導入する。導光体の裏面には反射層が形成され、導光体内に導入した光を反射層で反射させながら拡散させることにより、照明プレートの表面を均一に発光させることができる（例えば、特許文献１参照）。
【特許文献１】特開２００１−１６３１１７号公報
【発明の開示】
【発明が解決しようとする課題】
【０００４】
しかしながら、このような従来の照明プレートにあっては、導光体が光源として、基板に発光部と配線を組み合わせた一般構造のものを採用しているため、導光体の全面が発光するため、無効部ができるほか、光源自体の上下寸法が大きく、導光体の薄型化にもある程度の限界がある。従って、照明プレートを車体に取付けた場合に、照明プレートが車体から出っ張るおそれがあり、車体との一体感が感じられず、見映えの面で不利となる。
【０００５】
この発明は、このような従来の技術に着目してなされたものであり、高輝度となり且つ薄型化が可能な車両用照明プレートを提供するものである。
【課題を解決するための手段】
【０００６】
請求項１に記載の発明は、四辺に側壁を有するベース及び該ベースの側壁の先端に取付けられてなるカバーレンズより構成されてなるハウジングと、該ハウジングの側壁に配置されてなる光源と、該光源に対向し且つハウジングの内部に収納されてなると共に光源からの光をハウジングの内部に拡散させてカバーレンズを光らせる導光体とよりなる車両用照明プレートであって、前記導光体の裏面には、前記カバーレンズの発光する意匠と同形状の光拡散反射部を形成してなることを特徴とする。
【０００７】
請求項２に記載の発明は、四辺に側壁を有するベース及び該ベースの側壁の先端に取付けられてなるカバーレンズより構成されてなるハウジングと、該ハウジングの側壁に配置されてなる光源と、該光源に対向し且つハウジングの内部に収納されてなると共に光源からの光をハウジングの内部に拡散させてカバーレンズを光らせる導光体とよりなる車両用照明プレートであって、前記導光体の表面には、前記カバーレンズの発光する意匠と同形状の光拡散透過部を形成してなることを特徴とする。
【０００８】
請求項３に記載の発明は、請求項１又は請求項２に記載の車両用照明プレートであって、前記カバーレンズは、マスク塗装、シルク印刷、フィルム等により、特定の表示（文字・マーク等）部以外を遮光したイルミネーションとしたことを特徴とする。
【０００９】
請求項４に記載の発明は、請求項１又は請求項２に記載の車両用照明プレートであって、前記カバーレンズは、マスク塗装、シルク印刷、フィルム等により、特定の表示（文字・マーク等）部を遮光したイルミネーションとしたことを特徴とする。
【発明の効果】
【００１０】
請求項１に記載の発明によれば、導光体の裏面には、前記カバーレンズの発光する意匠と同形状の光拡散反射部を形成してなるので、導光体での光の減衰はほとんどないまま、光拡散反射部で反射されてカバーレンズから出射できるため、光束利用効率が高く、且つ高輝度であって、無効部ができない。
【００１１】
請求項２に記載の発明によれば、導光体の表面には、前記カバーレンズの発光する意匠と同形状の光拡散透過部を形成してなるので、導光体での光の減衰はほとんどないまま、光拡散透過部でカバーレンズから出射できるため、光束利用効率が高く、且つ高輝度であって、無効部ができない。
【００１２】
請求項３に記載の発明によれば、請求項１又は請求項２に記載の効果に加え、前記カバーレンズは、マスク塗装、シルク印刷、フィルム等により、表示（文字・マーク等）部以外を遮光したイルミネーションとしたことにより、導光体の意匠形状の発光のコントラストを上げると共に外観、見栄えを自由に設定できる。
【００１３】
請求項４に記載の発明によれば、請求項１又は請求項２に記載の効果に加え、前記カバーレンズは、マスク塗装、シルク印刷、フィルム等により、表示（文字・マーク等）部を遮光したイルミネーションとしたことにより、導光体の意匠形状の発光のコントラストを上げると共に外観、見栄えを自由に設定できる。
【発明を実施するための最良の形態】
【００１４】
高輝度となり且つ薄型化が可能な車両用照明プレートを提供するため、導光体の裏面には、前記カバーレンズの発光する意匠と同形状の光拡散反射部を形成してなることで、実現した。
【実施例１】
【００１５】
以下、この発明の第１の実施例を図１〜図３に基づいて説明する。符号Ｓは、周知の自動車のサイドステップ部に取付けられるスカッフプレート（照明プレート）である。このスカッフプレートＳは、ハウジング１と、光源２とから構成されている。
【００１６】
ハウジング１は、ベース３と、カバーレンズ４と、導光体５とから構成された長方形の中空箱状をしている。ハウジング１が中空箱状のため、とても軽量である。
【００１７】
ベース３は、白色の合成樹脂製で、光反射性に優れてなり、四辺に側壁３ａ、３ｂを有する上部開放の容器形状をしている。ベース３を白色の合成樹脂製にしたのは、高反射率を得るためである。また、ベース３の内面は、拡散反射を促すために微細凹凸状のシボ加工も施されている。尚、ベース３は、合成樹脂自体を白色にする代わりに、別の色の合成樹脂の表面に白色塗装を施しても良く、ホーニング状の金属系光択面等で形成しても良い。
【００１８】
カバーレンズ４は、透明性の合成樹脂製で、ベース３の側壁３ａ、３ｂの先端で区画される開口の全てを覆うように取付けられる。カバーレンズ４の表面には、表示部（文字）６が設けられ、その表示部６の領域には、拡散透過処理が施されている。従って、表示部６は、それ以外の領域よりも拡散率が大きいので、表示部６を明瞭に視認することができる。尚、表示部６以外の領域には、マスク塗装、シルク印刷、フィルム等により、表示（文字・マーク等）部を遮光したイルミネーションとした遮光処理を施してある。
【００１９】
前記導光体５は、前記光源２に対向し且つハウジング１の内部に収納されてなると共に光源２からの光Ｌをハウジング１の内部に拡散させてカバーレンズ４を光らせるものであって、該導光体５の裏面５ａには、前記カバーレンズ４の発光する意匠（例えば、ＩＣＨＩＫＯＨ）と同形状の光拡散反射部２２を形成してなる。前記導光体５は、透明合成樹脂をカットして形成してなる。
【００２０】
前記光源２は、ＬＥＤよりなり且つベース３の底面における長手方向端部に収納されている発光部７と、一対の配線８とからだけ構成される基板レス構造で、回路部品としてのダイオード９及びレジスタ１０は、それぞれ配線８の途中に設けられている。
【００２１】
発光部７は、ベース３の底面に形成された一対の突起部１１、１１により固定されている。この突起部１１、１１には、発光部７の側面を挟持すると共に先端側への抜けを防止する凸部１１ａ，１１ａが形成されている。光源２が、前記したように、発光部７と配線８から成る基板レス構造で、その発光部７をベース３に形成した突起部１１、１１で直接固定しているため、ベース３とカバーレンズ４との間隔は、発光部７に略相当するだけの寸法で済み、大変薄い構造のハウジング１にすることができる。
【００２２】
また、この突起部１１、１１の端部からは、光Ｌの照射方向に向けて開いたテーパ状のリフレクタ１２、１２が側壁３ａ、３ａまで延設されている。このリフレクタ１２、１２の表面も、ベース３の表面と同じ表面処理が施されている。
【００２３】
発光部７の底部側には、ベース３の底面に複数の隔壁１３、１４、１５が形成されている。そして、この隔壁１３、１４、１５と、側壁３ａ、３ｂにより、互いに離反する方向へＵ形に曲がった通路１６が形成され、その中に配線８が収納されている。
【００２４】
隔壁１３は、発光部７の底部を支持すると共に、一対の配線８，８の付け根の間に介在して、配線８，８間の絶縁状態を確保する働きをしている。この隔壁１３が直角に付き当てられた長い隔壁１４と、短い一対の隔壁１５との間で、通路１６のうちの、回路部品（ダイオード９、レジスタ１０）を収納する部分を形成している。また、長い隔壁１４と、長辺側及び短辺側の側壁３ａ、３ｂとの間で、通路１６のうちの回り込む部分を形成している。配線８，８を収納する通路１６が互いに離反する方向へＵ形に曲がっているため、配線８，８の絶縁状態を確実に保てる。
【００２５】
配線８，８は、取出口１７に嵌められたゴムキャップ１８を貫通して外部へ導かれている。配線８、８は、ベース３の側壁３ｂの外部及び取出口１７に近い通路１６内で被覆部１９により覆われている。そして、この取出口１７に近い通路１６では、隔壁１４側及び側壁３ｂ側から通路１６側へそれぞれ突出する複数のリブ２０，２１が形成され、それらのリブ２０，２１の先端を配線８の被覆部１９へ圧接させることにより、配線８の取出口１７からの抜けが防止されている。尚、通路１６の全体がＵ形に曲がっていることも、配線８，８の抜け防止に効果的である。
【００２６】
長い隔壁１４は、ベース３の側壁３ｂと同様に、発光部７の上下寸法に略相応する高さで、カバーレンズ４を側壁３ａ、３ｂの先端に取付けた状態で、隔壁１４の上端もカバーレンズ４の裏面に当接する。従って、カバーレンズ４が隔壁１４により裏面側から支持され、表面側から外力を受けた場合におけるカバーレンズ４の変形を防止することができる。
【００２７】
また、隔壁１３にて絶縁状態が確保された配線８，８の付け根部には、上側から図示しない絶縁弾性体（ゴム）が載せられ、カバーレンズ４を取付けたことにより、配線８，８の付け根部が絶縁弾性体により押さえ込まれる。従って、この絶縁弾性体により、配線８，８の浮き上がりが防止され、配線８，８の絶縁状態が更に確実に維持されることになる。
【００２８】
以上のように構成されたスカッフプレートＳは、導光体５の裏面には、前記カバーレンズ４の発光する意匠と同形状の光拡散反射部２２を形成してなるので、導光体５での光Ｌの減衰はほとんどないまま、矢印で示すように、光拡散反射部２２で反射されてカバーレンズ４から出射できるため、光束利用効率が高く、且つ高輝度であって、無効部ができない。
【００２９】
また、前記ハウジング１のベース３の内面は、白色系樹脂、高反射塗装、アルミ蒸着などによる光反射性に優れてなることにより、更に、輝度が増すことになる。
【００３０】
また、前記カバーレンズ４は、マスク塗装、シルク印刷、フィルム等により、表示（文字・マーク等）部以外を遮光したイルミネーションとしたことにより、導光体５の意匠形状（例えば、ＩＣＨＩＫＯＨ）の発光のコントラストを上げると共に外観、見栄えを自由に設定できる。
【００３１】
また、前記導光体５は、透明合成樹脂をカットして形成してなることにより、導光体５の製造原価が低減できることになる。
【００３２】
リフレクタ１２、１２が、発光部７に対してテーパ状に傾斜しており、このリフレクタ１２、１２は、発光部７からの光Ｌを最初に反射するだけでなく、反射されて戻ってきた光Ｌを、発光部７の向きとは交差する方向へ更に二次反射させることができるため、光Ｌの更なる拡散状態が得られ、カバーレンズ４をより一層均一に発光させることができる。
【実施例２】
【００３３】
この発明の第２の実施例を図４及び図５に基づいて説明する。第１の実施例との主に異なる点は、光源２が、ハウジング１のベース３の対向する両側壁３ｂ、３ｂに配置されてなることにある。一方の光源２に接続されてなる配線８は、他方の光源２へ接続線８ａにより電気的接続されてなると共にテーパ状のリフレクタ１２、１２が側壁３ａ、３ａまで延設されて、そのまま側壁３ａ、３ａに沿う第２リフレクタ１２ａ、１２ａが形成されている。
【００３４】
対向した位置に配されてなる前記光源２は、ＬＥＤよりなり且つベース３の底面における長手方向端部に収納されている発光部７と、一対の配線８とからだけ構成される基板レス構造で、回路部品としてのダイオード９及びレジスタ１０は、それぞれ配線８の途中に設けられていることは、前記第１の実施例と同じであるので、説明は省略する。
【００３５】
従って、第２の実施例によれば、前記ハウジング１のベース３における対向する両側壁３ｂ、３ｂに、光源２，２が配置されてなることにより、輝度がより高まることになる。
【実施例３】
【００３６】
この発明の第３の実施例を図６乃至図８に基づいて説明する。第１の実施例との主に異なる点は、光Ｌがカバーレンズ４から発光する手段が異なる点にある。
【００３７】
前記導光体５の表面５ｂには、カバーレンズ４の発光する意匠（例えば、ＩＣＨＩＫＯＨ）と同形状の光拡散透過部２３を形成してなる。該光拡散透過部２３は、白色系のシルク印刷、塗装、ホーニング面熱転写、サンドブラストなどにより形成されてなる。前記光源２は、ＬＥＤよりなり且つベース３の底面における長手方向端部に収納されている発光部７と、一対の配線８とからだけ構成される基板レス構造で、回路部品としてのダイオード９及びレジスタ１０は、それぞれ配線８の途中に設けられていることは、前記第１の実施例と同じであるので、説明は省略する。
【００３８】
従って、第３の実施例によれば、導光体５の表面５ｂには、前記カバーレンズ４の発光する意匠（例えば、ＩＣＨＩＫＯＨ）と同形状の光拡散透過部２３を形成してなるので、導光体５での光Ｌの減衰はほとんどないまま、光拡散透過部２３でカバーレンズ４から出射できるため、光束利用効率が高く、且つ高輝度であって、無効部ができない。
【００３９】
また、前記光拡散透過部２３が、白色系のシルク印刷、塗装、ホーニング面熱転写、サンドブラストなどにより形成されてなることにより、更に、輝度が増すことになる。
【産業上の利用可能性】
【００４０】
この発明によれば、ベース３は、白色系樹脂として説明したが、これに限定されるものではなく、高反射塗装、アルミ蒸着などによっても良い。
【００４１】
カバーレンズ４の表示部６以外の領域には、マスク塗装、シルク印刷、フィルム等により、表示（文字・マーク等）部を遮光したイルミネーションとした遮光処理を施してあるとして説明したが、これに限定されるものではなく、表示部６の領域に遮光したイルミネーションとした遮光処理を施してあるものでも良い。
【００４２】
また、光源２としてＬＥＤを例にしたが、これに限定されない。
【図面の簡単な説明】
【００４３】
【図１】この発明の第１の実施例に係るスカッフプレートを示す一部破断の平面図。
【図２】図１の断面図。
【図３】図２の拡散反射部２１を示す拡大断面図。
【図４】この発明の第２の実施例に係るスカッフプレートを示す一部破断の平面図。
【図５】図４の断面図。
【図６】この発明の第３の実施例に係るスカッフプレートを示す一部破断の平面図。
【図７】図６の断面図。
【図８】図７の拡散透過部２３を示す拡大断面図。
【符号の説明】
【００４４】
Ｓ  スカッフプレート
１  ハウジング
２  光源
３  ベース
３ａ、３ｂ  側壁
４  カバーレンズ
５  導光体
６  表示部
７  発光部
２２  拡散反射部
２３  拡散透過部
Ｌ  光
【図１】
2005258077.tif 000003
【図２】
2005258077.tif 000004
【図３】
2005258077.tif 000005
【図４】
2005258077.tif 000006
【図５】
2005258077.tif 000007
【図６】
2005258077.tif 000008
【図７】
2005258077.tif 000009
【図８】
2005258077.tif 000010